【手続補正書】
【提出日】平成16年5月12日(2004.5.12)
【手続補正１】
【補正対象書類名】明細書
【補正対象項目名】特許請求の範囲
【補正方法】変更
【補正の内容】
【特許請求の範囲】
【請求項１】
結合剤が、
（ａ）  水に対し可溶性もしくは分散性であると共に
（Ａ１）  ５０〜１００重量％の４，４’−ジイソシアナトジシクロヘキシルメタンおよび０〜５０重量％の１４０〜１５００の分子量を有する他の有機ポリイソシアネートを含有する２０〜６０重量％のポリイソシアネート成分と、
（Ｂ１）  １種もしくはそれ以上のポリエーテルポリオールを含有しかつ２５〜３５０ｍｇ  ＫＯＨ／ｇ固形物のＯＨ価を有する２０〜６０重量％のポリオール成分と、
（Ｃ１）  少なくとも１個のイソシアネート反応性基および少なくとも１個の塩生成しうる基を有し、必要に応じ少なくとも部分中和型にて存在させうる１種もしくはそれ以上の化合物を含有する２〜１２重量％の陰イオン型もしくは潜在的に陰イオン型の成分と、
（Ｄ１）  イソシアネート付加反応の目的で一官能性もしくは二官能性でありかつ少なくとも１個の側鎖もしくは末端の親水性ポリエーテル鎖を有する１種もしくはそれ以上の化合物を含有した０〜１２重量％の非イオン型親水性成分と、
（Ｅ１）  ２〜４個のヒドロキシル基および６２〜２５０の分子量を有する０〜１５重量％の１種もしくはそれ以上の多価アルコールと、
（Ｆ１）  ２〜４個のアミノ基および６０〜３００の分子量を有する０〜１５重量％の１種もしくはそれ以上の（シクロ）脂肪族ポリアミンと、
（Ｇ１）  合計で２〜４個のヒドロキシルおよびアミノ基、並びに６１〜３００の分子量を有する０〜３０重量％の１種もしくはそれ以上の（シクロ）脂肪族ポリアミノ／ヒドロキシル化合物と、
（Ｈ１）  イソシアネート付加反応の目的で一官能性もしくは二官能性でありかつ１〜２個のヒドラジド基および７０〜３００の分子量を有する０〜１５重量％の１種もしくはそれ以上の安定化用成分
との反応生成物であるポリオール成分〔ここで、（Ａ１）〜（Ｈ１）の％が合計１００である〕、および
（ｂ）  水に対し可溶性もしくは分散性であり、封鎖イソシアネート基を有すると共に、
（Ａ２）  ２〜３０重量％のイソシアヌレート基含有量（Ｃ3 Ｎ3 Ｏ3 として計算；分子量＝１２６）を有しかつ１４０〜３５０の分子量を有する１種もしくはそれ以上のジイソシアネートから生成された４０〜８０重量％のポリイソシアネート、
（Ｂ２）  イソシアネート付加反応の目的で一官能性であるイソシアネート基のための５〜３０重量％の１種もしくはそれ以上の可逆性封鎖剤と、
（Ｃ２）  少なくとも１個のイソシアネート反応性基および必要に応じ少なくとも部分中和型にて存在させうる塩生成しうる少なくとも１個の基を有する１種もしくはそれ以上の化合物を含有した０〜１５重量％の陰イオン型もしくは潜在的に陰イオン型の成分と、
（Ｄ２）  イソシアネート付加反応の目的で一官能性もしくは二官能性でありかつ少なくとも１個の側鎖もしくは末端の親水性ポリエーテル鎖を有する１種もしくはそれ以上の化合物を含有した５〜３０重量％の非イオン型親水性成分と、
（Ｅ２）  ２〜４個のヒドロキシル基および６２〜２５０の分子量を有する０〜１５重量％の１種もしくはそれ以上の多価アルコールと、
（Ｆ２）  ２〜４個のアミノ基および６０〜３００の分子量を有する０〜１５重量％の１種もしくはそれ以上の（シクロ）脂肪族ポリアミンと、
（Ｇ２）イソシアネート基付加反応の目的で一官能性もしくは二官能性でありかつ１〜２個のヒドラジド基および７０〜３００の分子量を有する０．５〜１５重量％の１種もしくはそれ以上の安定化成分
との反応生成物であるポリイソシアネート成分〔ここで、（Ａ２）〜（Ｇ２）の％が合計１００である〕
を含有し、ただし成分（ｂ）の封鎖イソシアネート基と成分（ａ）のヒドロキシル基との当量比が少なくとも０．８：１であることを特徴とする水性ポリウレタン被覆組成物。
【請求項２】
請求項１に記載の被覆組成物で被覆されたガラス支持体。
【請求項３】
請求項１に記載の被覆組成物で被覆されたガラス壜。
【手続補正２】
【補正対象書類名】明細書
【補正対象項目名】０００５
【補正方法】変更
【補正の内容】
【０００５】
【課題を解決するための手段】
この課題は、以下詳細に説明する本発明の被覆組成物により解決しうる。
本発明は、結合剤が
（ａ）  水に対し可溶性もしくは分散性であると共に
（Ａ１）  ５０〜１００重量％の４，４’−ジイソシアナトジシクロヘキシルメタンおよび０〜５０重量％の１４０〜１５００の分子量を有する他の有機ポリイソシアネートを含有する２０〜６０重量％のポリイソシアネート成分と、
（Ｂ１）  １種もしくはそれ以上のポリエーテルポリオールを含有しかつ２５〜３５０ｍｇ  ＫＯＨ／ｇ固形物のＯＨ価を有する２０〜６０重量％のポリオール成分と、
（Ｃ１）  少なくとも１個のイソシアネート反応性基および少なくとも１個の塩生成しうる基を有し、必要に応じ少なくとも部分中和型にて存在させうる１種もしくはそれ以上の化合物を含有する２〜１２重量％の陰イオン型もしくは潜在的に陰イオン型の成分と、
（Ｄ１）  イソシアネート付加反応の目的で一官能性もしくは二官能性でありかつ少なくとも１個の側鎖もしくは末端の親水性ポリエーテル鎖を有する１種もしくはそれ以上の化合物を含有した０〜１２重量％の非イオン型親水性成分と、
（Ｅ１）  ２〜４個のヒドロキシル基および６２〜２５０の分子量を有する０〜１５重量％の１種もしくはそれ以上の多価アルコールと、
（Ｆ１）  ２〜４個のアミノ基および６０〜３００の分子量を有する０〜１５重量％の１種もしくはそれ以上の（シクロ）脂肪族ポリアミンと、
（Ｇ１）  合計で２〜４個のヒドロキシルおよびアミノ基、並びに６１〜３００の分子量を有する０〜３０重量％の１種もしくはそれ以上の（シクロ）脂肪族ポリアミノ／ヒドロキシル化合物と、
（Ｈ１）  イソシアネート付加反応の目的で一官能性もしくは二官能性でありかつ１〜２個のヒドラジド基および７０〜３００の分子量を有する０〜１５重量％の１種もしくはそれ以上の安定化用成分
との反応生成物であるポリオール成分〔ここで、（Ａ１）〜（Ｈ１）の％が合計１００である〕、および
（ｂ）  水に対し可溶性もしくは分散性であり、封鎖イソシアネート基を有すると共に、
（Ａ２）  ２〜３０重量％のイソシアヌレート基含有量（Ｃ3 Ｎ3 Ｏ3 として計算；分子量＝１２６）を有しかつ１４０〜３５０の分子量を有する１種もしくはそれ以上のジイソシアネートから生成された４０〜８０重量％のポリイソシアネート、
（Ｂ２）  イソシアネート付加反応の目的で一官能性であるイソシアネート基のための５〜３０重量％の１種もしくはそれ以上の可逆性封鎖剤と、
（Ｃ２）  少なくとも１個のイソシアネート反応性基および必要に応じ少なくとも部分中和型にて存在させうる塩生成しうる少なくとも１個の基を有する１種もしくはそれ以上の化合物を含有した０〜１５重量％の陰イオン型もしくは潜在的に陰イオン型の成分と、
（Ｄ２）  イソシアネート付加反応の目的で一官能性もしくは二官能性でありかつ少なくとも１個の側鎖もしくは末端の親水性ポリエーテル鎖を有する１種もしくはそれ以上の化合物を含有した５〜３０重量％の非イオン型親水性成分と、
（Ｅ２）  ２〜４個のヒドロキシル基および６２〜２５０の分子量を有する０〜１５重量％の１種もしくはそれ以上の多価アルコールと、
（Ｆ２）  ２〜４個のアミノ基および６０〜３００の分子量を有する０〜１５重量％の１種もしくはそれ以上の（シクロ）脂肪族ポリアミンと、
（Ｇ２）  イソシアネート基付加反応の目的で一官能性もしくは二官能性でありかつ１〜２個のヒドラジド基および７０〜３００の分子量を有する０．５〜１５重量％の１種もしくはそれ以上の安定化成分
との反応生成物であるポリイソシアネート成分〔ここで、（Ａ２）〜（Ｇ２）の％が合計１００である〕
を含有し、ただし成分（ｂ）の封鎖イソシアネート基と成分（ａ）のヒドロキシル基との当量比が少なくとも０．８：１であることを特徴とする水性ポリウレタン被覆組成物に関するものである。
【手続補正３】
【補正対象書類名】明細書
【補正対象項目名】００２１
【補正方法】変更
【補正の内容】
【００２１】
本発明による方法では多量の三官能性および多官能性の構造成分、特に架橋成分（Ｅ１）、（Ｆ１）および／または（Ｇ１）を用いて、得られるポリウレタンが実質的に線状構造を持たずに高度に分枝させることも可能である。水溶液および分散液（ａ）は霜に対し耐性かつ貯蔵安定性であり、水で無限に希釈することができる。
架橋用成分（ｂ）は、水に対し可溶性もしくは分散性であると共に５〜１１重量％の封鎖イソシアネート基含有量（ＮＣＯとして計算、分子量＝４２）を有するブロックドポリイソシアネートから選択される。
出発成分（Ａ２）は、２〜３０重量％、好ましくは少なくとも５重量％のイソシアヌレート基含有量（Ｃ3 Ｎ3 Ｏ3 として計算、分子量＝１２６）を有すると共に１４０〜３５０の分子量を有するジイソシアネートから作成された有機ポリイソシアネートから選択される。使用しうるジイソシアネートは４，４’−ジイソシアナトジシクロヘキシルメタン（デスモジュールＷ、バイエルＡＧ社）、１−イソシアナト−３，３，５−トリメチル−５−イソシアナトメチルシクロヘキサン（ＩＰＤＩ）、１，６−ジイソシアナトヘキサン（ＨＤＩ）およびこれらポリイソシアネートの混合物を包含する。ポリイソシアネート成分（Ａ２）は、たとえばＨ．Ｊ．ラース等、ジャーナル・プラクチカル・ケミストリー、第３３６頁（１９９４）およびＥＰ−Ａ ６４９，８６６号に記載されたような公知方法を用いてジイソシアネートから生成される。